(57)【要約】  薄膜光起電子画素を含むセンサが光学素子を取り付けられて、ヒト又は他の対象体が、視野を出入りするのを感知する視野を提供する。ヒトが前記視野に入るとき、プロセッサがこの侵入を感知して、次に該事象を示す他の電子装置に該信号を提供できる。
2017512323.tif 000002
【特許請求の範囲】
【請求項１】
電子感知カードであって、
電源と、
通信モジュールと、
プロセッサと、
第１角度選択光学素子が第１視野と関連するように、第１薄膜光起電画素の前に配置された第１角度選択光学素子を含む第１センサ要素と、を含み、
前記電源、前記無線通信モジュール、前記プロセッサ及び前記第１センサ要素が、通信的に又は電気的に互いに連結する、電子感知カード。
【請求項２】
前記通信モジュールが無線通信を含む、請求項１に記載の感知カード。
【請求項３】
前記第１角度選択光学素子と前記第１薄膜光起電画素の間に配置された光コリメーティング層を更に含む、請求項１に記載の感知カード。
【請求項４】
前記第１薄膜光起電画素が複数の光電池を含む、請求項１に記載の感知カード。
【請求項５】
第２角度選択光学素子が第２視野と関連するように、前記プロセッサと通信的に連結し、及び第２薄膜光起電画素の前に配置された該第２薄膜光起電画素を更に含む、請求項１に記載の感知カード。
【請求項６】
前記第１視野及び前記第２視野が異なる、請求項５に記載の感知カード。
【請求項７】
前記第１視野及び前記第２視野が最小限に重なり合う、請求項５に記載の感知カード。
【請求項８】
前記第１視野及び前記第２視野内に対象体があるときを前記プロセッサが測定するように構成される、請求項１に記載の感知カード。
【請求項９】
前記第１視野及び前記第２視野内に対象体があることを感知した後、前記プロセッサが電子信号を電子装置に提供する、請求項８に記載の感知カード。
【請求項１０】
前記電子装置が、電子的アドレス可能ディスプレイを含む、請求項９に記載の感知カード。
【請求項１１】
前記電子的アドレス可能ディスプレイが前記信号に基づきその表示状態を変える、請求項１０に記載の感知カード。
【請求項１２】
前記第１角度選択光学素子及び前記第２角度選択光学素子のどちらか１つ又はその両方が、コノスコープレンズを含む、請求項５に記載の感知カード。
【請求項１３】
前記第１角度選択光学素子及び前記第２角度選択光学素子のどちらか１つ又はその両方が、小型レンズを含む、請求項５に記載の感知カード。
【請求項１４】
前記プロセッサが、前記視野のうちの１つに対象体が入ったときから、該対象体が前記視野から出たときまでの時間を測定するように構成される、請求項８に記載の感知カード。
【請求項１５】
前記プロセッサが、前記第１センサ及び前記第２センサから受信する信号に基づいて、対象体の移動する方向の態様を測定するように構成される、請求項８に記載の感知カード。
【請求項１６】
前記第１視野又は前記第２視野に対象体が入ったとき、及び前記第１視野又は前記第２視野から該対象体が出たときを、前記プロセッサが測定し、及びそれを示す信号を提供するように構成される、請求項８に記載の感知カード。
【請求項１７】
前記対象体がヒトを含む、請求項８に記載の感知カード。
【請求項１８】
前記対象体がヒト型対象体を含む、請求項８に記載の感知カード。
【請求項１９】
前記対象体が車型対象体を含む、請求項８に記載の感知カード。
【請求項２０】
前記光コリメーティング層がフィルムを含む、請求項３に記載の感知カード。
【請求項２１】
前記光コリメーティング層がガラスビーズを含む、請求項３に記載の感知カード。
【請求項２２】
前記光コリメーティング層が背面投影フィルムを含む、請求項３に記載の感知カード。
【請求項２３】
前記光コリメーティング層が第１マイクロルーバフィルムを含む、請求項３に記載の感知カード。
【請求項２４】
前記光コリメーティング層が更に第２マイクロルーバフィルムを含み、前記第１マイクロルーバフィルムのマイクロルーバが、該第２マイクロルーバフィルムのマイクロルーバと直交して配置される、請求項２３に記載の感知カード。
【発明の詳細な説明】
【背景技術】
【０００１】
商業環境及び公共空間環境の標識の２つの一般的な形態は、一方はデジタル表示装置を含み、他方は印刷された図画を含む。デジタル表示は一般に、ＬＣＤ、プロジェクタ、又は他の電子的アドレス可能表示システムに基づき、電子的にアドレス指定する表示システムによる画像を提供する。
【０００２】
デジタル表示装置は画像及びビデオを変えることを提供できるが、器材、表示装置への電気、ビデオ信号、及び頻繁に更新されるコンテンツを提供するのに必要な有償の操作サポートを購入するための高額な初期費用計画が、その技術的性能と関連する利点を損なっている。印刷された図画は、デジタル表示装置と比べて複数の利点があり、それらは通常、デジタル表示装置より非常に低コストであり、非常に平坦で及び表面に適合することができ、並びに、それらは外部電源を必要としない。不利な点は、使用経験の限界を含む−それは通常、容易に無視され得る非対話形式経験である。
【発明の概要】
【課題を解決するための手段】
【０００３】
関連する光学素子を備える光起電センサ要素が、視野内の対象体の感知を提供する。いくつかの実施形態では、前記センサ要素は低電力であり、拡大する電池使用にも適することができる。いくつかの実施形態では、前記センサ要素は、図形標識（例えば、印刷された広告など）と組み合わせて、該広告の前を歩いている対象体の存在を感知する。センサ要素は、通信的にプロセッサに連結されており、それは視野に関連する「事象」、例えばヒト型対象体の存在を感知することができ、該事象の感知において、更なる徴候又は活動を開始する、又は、別のプロセッサに該事象を示す信号を提供することができる。
【０００４】
一実施形態において、電子感知カードが記載されており、該カードは、電源と、通信モジュールと、プロセッサと、
第１角度選択光学素子が第１視野と関連するように、第１薄膜光起電画素の前に配置された第１角度選択光学素子を含む第１センサ要素と、を含み、電源、無線通信モジュール、プロセッサ及び第１センサ要素が、通信的に互いに連結する。
【０００５】
これら実施形態及び他の実施形態について、本明細書で更に完全に説明する。
【図面の簡単な説明】
【０００６】
【図１】印刷された広告に関連する対話式カードの１つの例示的実施形態を示す図である。
【図２】感知カードを単純化した図である。
【図３】応答カードを単純化した図である。
【図４ａ】対話式カードの外側の平面図である。
【図４ｂ】対話式カードの外側の側面図である。
【図５】有孔フィルムを用いて隠された印刷された図面に含まれる、対話式カードを備えた印刷された図面の一部の図である。
【図６】図５で使用した有孔フィルムの引き伸ばしである。
【図７】対話式カードと、図画フィルムに取り付けられた対話式カードを図から隠す有孔フィルムと、を含むスタックの断面図である。
【図８ａ】異なる感知画素を含む、センサ要素の図を示す。
【図８ｂ】異なる感知画素を含む、センサ要素の図を示す。
【図９】感知画素を支持する、例示の材料スタックを示す。
【図１０】感知画素とプロセッサを連結する４つのマルチプレクサを備える、感知画素の平面配置を示す。
【図１１】どのように人が隣接するＦＯＶを通過して移動して、感知されるかについて示す、３つのＦＯＶを備えるＦＯＶセンサ画素の図である。
【図１２】センサ画素光学素子の別の実施形態の図である。
【図１３ａ】微細複製された放射状光操舵光学要素を備える、センサ画素の図の引き伸ばしである。
【図１３ｂ】放射状フレネル光操舵光学要素を備える、センサ画素の平面図である。
【図１４】センサと作用カードの一体型の実施形態の線図である。
【発明を実施するための形態】
【０００７】
図１は、対話式カードが、どのように広告コンテンツなどのコンテンツに関連して用いられることができるかを示す。広告シナリオ１０は、２つのバナー広告（４０及び４５）を通過して歩くヒト５０を有する。第１バナー広告４０と関連する広告コンテンツが、ヒト５０用の製品を強調表示する。センサカード２０は、バナー広告４０内で埋め込まれて、ヒト５０の存在を感知するように構成される。センサ２０は応答カード３０に無線通信的に連結されており、それはバナー広告４５と関連している。ヒト５０の存在を感知すると、無線信号２５が、センサカード２０と関連する内蔵無線通信から生成される。応答カード３０と関連する対応する無線通信が、無線信号２５を受信して、それと関連する作動を開始する。図１に示す実施形態では、作動は、導電体３２を介して応答カード３０に電気的に連結される活性化ＬＥＤ照明アレイ３６を含む。照明は、製品３４、この場合コーラ缶を囲む。ヒト５０が標識の間を歩くとき、協調して作動している２つの標識は、それらと関連する対話形式を有しない標識よりも強い印象を、ヒトに与えることができる。
【０００８】
バナーコンテンツ４０及び４５は、従来の印刷型広告コンテンツを含むことができる。それは、他の種類の任意の好適なコンテンツも含むことができる。例えば、コンテンツ４０及び４５は、方向型ナビゲーションコンテンツ又は指示などに関し得る。前記コンテンツは、屋内又は屋外で懸下される、特定のフィルム、例えばＰＶＣ系ウェブに印刷することができる。いくつかの実施形態では、センサカード又は応答カードは、コンテンツのいくつかと明確に関連する必要はない。例えば、センサカード２０は、バナー広告４５に接近して控えめに位置できる、例えば壁又は天井に掛けられる。前記シナリオにおいて、バナー広告４０が存在する必要さえない。反対に、応答要素が、バナー広告と厳密に関連する必要もない。例えば、ＬＥＤアレイ３４はコーラ缶の３Ｄモデルと関係することができ、缶自体は例示の応答として照らされる。
【０００９】
対話式カード自体は、更に後述する回路機構を有する薄いカードである。対話式カードは、小さいかつ目立たないように設計されており、操作が容易である。好ましい実施形態において、対話式カードは、印刷コンテンツ上に、又はその周辺に実際に組み込まれる。例えば、センサカード２０の場合、これは、センサカード４０のセンサに適合するために基材に切削された目立たない穴と共に、センサカードをバナー広告４０の裏側に付着させることを意味する可能性がある。図６に関して後で示される他の実施形態は、バナーコンテンツの表側に配置されるが、それから、それが覆うコンテンツに適合するために印刷された有孔フィルムによって覆い隠される、対話式カードを有する。このような実施形態において、対話式カードは、接着剤で裏貼りされてもよく、直接バナーコンテンツの表面に付着されてもよい。穿孔によって、いくつかの実施形態で、センサは感知動作を行うことができるようになる。
【００１０】
センサカードは、目的の環境特性を感知するように設計されたセンサ要素を含む。前記特性は、対象体の存在（通常ヒトの子供型〜自動車型まで）、対象体の動き（及び方向）、センサ自体の動き、又は、センサと導電性対象体の間に生じる接触などである。任意の好適なセンサが、センサカードで使用され得る。例示のセンサ技術は、光起電センサ、運動センサ、静電容量センサ、タッチセンサ、音響センサ又は温度センサを含む。更にセンサは、適切な機能を備えた店舗スタンプカードなど互換性カードの存在を確認する、ＮＦＣ（近距離通信）−系センサでもよい。センサは更に、装置に隣接したヒトの存在を示す、ＷｉＦｉ、ブルートゥース、又は他のＲＦシグネチャ（例えば、ヒトの携帯電話機から）の存在を確認するセンサでもよい。センサは、例えば褶曲する波形信号がいつ広げられたかを感知する「事象」センサでもよく、この事象は、例えば、アナログ入力を制御ＩＣの接地入力に接続する導電性薄箔の小さいワイヤ又は一片を機械的に壊す、展開する動きによって感知できる。
【００１１】
応答カードは、感知された作動を示すセンサカードからの信号に連動するように設計された動作要素を含む。動作要素は、反応カード上のプロセッサから発生する信号に基づいて、状態を変えることができる、任意のものでよい。例えば、動作要素は、ＬＥＤ照明のアレイ、又は機械プロセスを起動するモータ、又は音を再生するスピーカシステムでもよい。動作要素は応答カードのハウジングに含まれることができ、又は、動作要素はカードから切り離されているが、導電体（図１に示すように）を介して若しくは無線で、通信的に連結されることができる。動作要素は、ＬＣＤ又はプロジェクタに接続するメディアプレーヤなどのデジタル装置への入力でもよく、反応カードからの信号が、メディアプレーヤのコンテンツ状態の変化を開始する。更に動作要素は、環境の照明システムに連結でき、周囲照明の状態の変化を引き起こす（例えば、光る）。動作要素は、応答カードの出力信号により起動できる霧装置又は噴水などの設定の環境を変えることを目的とする機械でもよい。場合によっては、すべての信号が同じ動作の結果にならないように、応答カードはプログラムされることができ、例えば、応答カードのプロセッサ上の乱数発生器が、照明要素、音響要素、この両方を起動させる、又はどちらも起動させないことを選択するアルゴリズムで用いられることが可能である。更に、センサカードから受信する信号に基づいて、応答それ自体が変化できる。例えば、センサカードからの信号は、日中又は夜間で、異なる反応を起動させることができる。別の実施形態では、応答カードは、その日の日付又は時間を認知するようにプログラムされて、これらのパラメータに基づいて反応を変化させることができる（例えば、昼光に合わせて第１動作（例えば、動き）及び、夜間に合わせて他の第２動作（例えば、人工照明と組み合わせた動き）を結びつける）。
【００１２】
対話式カードは、無線リンクを介して通信的に連結する。この無線リンクは、センサカード及び応答カードの両方に含まれる無線通信モジュールによって提供される。好ましい実施形態において、この回線は、８０２．１１ｘ又はＡＮＴ又はブルートゥース（商標）などの無線通信プロトコルを実施する、無線回線である。しかし、他の無線通信方法、例えば、赤外線、可聴周波、超音波、セルラ方式などが、可能である。
【００１３】
図２は、センサカード２４０の概略図を示す。一実施形態において、センサカード２４０は、薄い可撓性回路板基材２４４に取り付けられた電気構成要素を備えている。回路板基材２４４に好適な材料は、ＦＲ−４、ポリイミド、ＰＥＴ、ＰＥＮ、ＰＥＩ  ＦＥＰ、及び他の薄い、好ましくは可撓性基材物質を含む。無線通信２１０の場合の無線通信モジュールは、回路板基材２４４を介してプロセッサ２３０に通信的に連結しており、それは次に通信的にセンサ２２０に連結して、電気的にバッテリ２００に連結する。
【００１４】
無線通信２１０は、他の対話式カード、特に対になる応答カードと通信する。無線通信２１０は、ブルートゥース（商標）、ＬＥプロトコル、ＡＮＴプロトコル、ＩＥＥＥ  ８０２．１５．４、又は他の任意の適切な低出力無線通信プロトコルなど、登録商標又は周知の通信プロトコルを実施する。前記通信は、９００ＭＨｚ、２．４ＧＨｚ又は他の適切な無線周波数であり得る。例示の電子通信チップは、Ｎｏｒｄｉｃ  Ｓｅｍｉｃｏｎｄｕｃｔｏｒ  ｎＲＦ５１４２２  ＡＮＴ（商標）Ｓｙｓｔｅｍ  ｏｎ  Ｃｈｉｐ、Ｎｏｒｄｉｃ  Ｓｅｍｉｃｏｎｄｕｃｔｏｒ  ｎＲＦ２４ＡＰ２シリーズ、Ｔｅｘａｓ  Ｉｎｓｔｒｕｍｅｎｔｓ  ＣＣ２５７０、Ｎｏｒｄｉｃ  Ｓｅｍｉｃｏｎｄｕｃｔｏｒ及びＮｏｒｄｉｃ  Ｓｅｍｉｃｏｎｄｕｃｔｏｒ  ｎＲＦ５１８２２  Ｂｌｕｅｔｏｏｔｈ（登録商標）ｌｏｗ  ｅｎｅｒｇｙ  Ｓｙｓｔｅｍ  ｏｎ  Ｃｈｉｐである。
【００１５】
プロセッサ２４０は、ＡＮＴ（商標）無線通信及びＡＲＭ（登録商標）Ｃｏｒｔｅｘ（商標）Ｍ０  ３２ビットプロセッサを含む、上述のＮｏｒｄｉｃ  Ｓｅｍｉｃｏｎｄｕｃｔｏｒ  ｎＲＦ５１４２２などの無線通信として同じチップに集積されることができる。それは、ＳＰＩ、ＩＩＣ又はＵＡＲＴなどの標準インターフェースによって無線通信チップに連結する、Ｍｉｃｒｏｃｈｉｐ  ＰＩＣ又はＴｅｘａｓ  Ｉｎｓｔｒｕｍｅｎｔｓ  ＭＳＰ４３０などの別個のマイクロコントローラも含むことができる。
【００１６】
センサ２２０は、通信的にプロセッサ２４０と連結する。センサカード２４０の一部として、プロセッサ２４０に連結する複数のセンサが存在し得るが、１つのみが図２に示される。更に、センサ要素はセンサカード２４０の一部として物理的に含まれることができ、又は、カードから切り離されて位置して、導電体を介してプロセッサ２３０につながることもできる。
【００１７】
一実施形態のセンサ２２０は、光学的感知又は容量式感知を介して作動する、近接センサを含む。例えば、光学的近接センサは、任意の光管理層を備える、平坦な可撓性光起電装置を含むことができる。光導電性又はフォトレジスト性などの他の可能な低出力の種類のセンサを使用できる。これらのすべての場合において、センサの重合体は、解決方法の可撓性及びすべて印刷された解決方法の潜在的適合性を維持するために、好まれる。他の好ましい実施形態では、センサ２２０は、ヒト型（成人若しくは児童）対象体若しくは自動車の存在及び／又は動きを感知することが可能である。
【００１８】
センサ２２０は、接触、携帯型装置の存在などに影響される受動センサでもよい。センサ２２０は、すぐ近くの対象体の感知、又は近くの対象体の変化の感知を強化する、無線通信、音響又は光エネルギの低出力放出を備える、能動的センサでもよい。
【００１９】
一実施形態において、センサ２２０は、少なくとも２つの感知領域を有する光起電センサを含み、少なくとも２つの該領域は、それらの出力（例えば電圧）がそれぞれ独立して測定されるように構成される。これらの独立した感知領域を、「感知画素」と呼ぶ。前記感知画素は、いくつかの実施形態では、非常に低出力な感知スキームを提供でき、それはバッテリ型感知配置に関するいくつかの実施例で好適であり得る。特定の実施態様において、追加の光学素子は感知画素の上に覆い重なって、感知画素により明確な視野（ＦＯＶ）を提供し、それは更に後述する。前記光学素子が感知画素に含まれる場合、このような実施形態を「ＦＯＶ感知画素」と呼ぶ。例えば、６つのそれぞれ独立した感知画素８０１からの電極８０３が、集積回路のアナログ入力内にそれぞれ独立して接続されることができる、２つのレイアウトを、図８ａ及び８ｂはそれぞれ示す。前記光起電複合感知画素センサは、従来の技術に優る、いくつかの利点を有することができる。第１に、前記構造体は、非常に薄くかつ可撓性であり得る。例えば、光起電材料は、アモルファスシリコン、ポリシリコン又は有機光起電材料の小さい別個の要素から作られることが可能であり、それは非常に薄い可撓性基材上に堆積できる。更に、ＦＯＶセンサにおいて、別個の視野で起きる別個の事象を測定することを可能にする、光学素子は、極めて薄くかつ可撓性であり得る。第２の潜在的利点は、ネット発電機であるアセンブリの性能に関する。感知画素は、周囲環境に関する情報を提供する主要な機能を有するが、更に、バッテリを充電する、又はプロセッサに関連する集積回路を作動させるために、電気を提供できる。フィルム状構造体を可能にする、第３の潜在的利点は、付随する製造工程、すなわち効率的に原反シート又はロール品上に複数の要素を作成すること、それからユニットに加工すること、印刷すること、他のロールツーロール法、及び他のフィルム互換法の、効率にある。フィルム互換法の利点を利用する例は、センサを作成するために、１つ以上のフィルム要素を選択的に切断し、任意に回転させて、空間的に配置して、積層する、動作のオートメーション化した数又は他の繰り返しの数を介して、システムの要素が効率的に組み立てられる場合である。これらの製造の利点は、従来の技術により利用可能であるよりも、より広い領域及び／又は低コストのセンサを可能にすることができる。
【００２０】
２つ以上の感知画素は、種々の手段により形成されることができる。例えば、感知画素の光起電領域は、共通基材上に積層された光起電フィルムの別個の部片でもよい。あるいは、光起電領域を、例えば、Ｓｉｇｍａ  Ａｌｄｒｉｃｈ  Ｃｏｒｐｏｒａｔｉｏｎ製Ｐｌｅｘｃｏｒｅ  ＰＶインクなどの光起電インク材料を使用して、印刷できる又はコーティングすることができる。他の選択肢は、薄い多結晶シリコン又は結晶シリコン光起電素子を、センサ構造内に組み込むことを含むことができる。
【００２１】
図９は、感知画素を支持するのに適している、１つの例示の材料スタックを示す。２つのＦＯＶ感知画素９０３ａ及び９０３ｂ用の銅又は金の電気カソード接点９０１ａ及び９０１ｂは、ポリイミドフレックス回路９０５上に構成される。これらの電気接点の上に、光活性インク層９０７ａ及び９０７ｂは、例えば印刷する（例えば、一実施形態において、スクリーン印刷方法を用いて）ことによって、配置される。その上に、孔輸送インク層９０９ａ及び９０９ｂが、堆積する。絶縁誘電体材料は、ＦＯＶ感知画素９０３ａと９０３ｂの間の領域に任意に配置されて、構造を平坦化できる。ポリエチレンテレフタレート（ＰＥＴ）上に付着する酸化インジウムスズ（ＩＴＯ）、可撓性プラスチック基材にコーティングされる銀ナノワイヤ、又は他の任意の透明導電層を含むことができる、透明アノード９１１が、最後に共通アノードとして組み立てられる。
【００２２】
図１０は、上記の方法に基づいて作成されることが可能な感知画素の、レイアウトの例示的実施形態を示す。この場合、２０つの独立の感知画素８０１が、例えば、ポリイミドフレックス基材上に又はＦＲ４基材上に、作成される。４つの多重化要素８１０ａ〜ｄは、集積回路又はプロセッサ８３０（無線通信を含むチップ上のシステムであり得る）のアナログ入力に接続しており、それはプロセッサ８３０上の４つのアナログ入力が２０つの感知画素からの情報を感知することを可能にする。
【００２３】
任意には、いくつかの実施形態で、レンズ又は他の角度分化光学構造体を、センサ要素の前に配置して、センサの視野を別個の領域に分割することができ、それは同様にいくつかの実施形態で、センサ要素を含む別個の感知画素と関連している。これは、センサが、異なる入射方向からの光を感知画素が感知することにより、原始的複眼として作動することを可能にする。図１１は、この光学分化を可能にするセンサ構造１１０２を示す。場面１１２５（右から左に歩道を歩いている人）に向かって、最上層は、入射角分化層１１００である。この層において、光学構造は入射光線の方向を変え、その結果、入射方向の特定の目標から生じる光は、ほぼ法線方向に向けられる。所与のセンサ画素を物理的に覆う光学構造は、その特定のセンサ画素のための「視野」（ＦＯＶ）を定める。言い換えれば、光学構造は、後述するコリメーティング層１１０５に関連して、特定のセンサ画素を、対応する環境の立体角領域に位置づけする。図１１において、入射角分化層１１００は、３つのＦＯＶ、ＦＯＶ  １１２０ａ〜ｃを含む。ＦＯＶは理想的には互いに異なっているが、実際には、それらはいくぶん重なり合う可能性がある。右から左に歩いている個人１１０１は、それから出口ＦＯＶ  １１２０ｃ、それから出口１１２０ｂ、そして出口１１２０ａに入る。これらの各ＦＯＶは、それぞれ、入射角分化層１１００上の特定の領域と関連する。ＦＯＶ  １１２０ｃは、例えば、センサ画素１１１０ｃに対応する。角度分化層領域１１００ｃと接触するとき、ＦＯＶ  １１２０ｃから移動する光要素１１３１は再配向されて、その結果、光素子はコリメーティング層１１０５におおむね垂直である。ＦＯＶ  １１２０ｃから生じていない光素子１１３２は、コリメーティング層１１０５とおおむね垂直でないように、再配向される。入射角分化層１１００は、一実施形態において、フィルムである。入射角分化層１１００は、関連するＦＯＶと関連していない領域から来る入射光線の向きを、非垂直方向へ変える傾向がある。入射角分化層１１００は、一実施形態において、フィルムである。入射角分化層１１００は、図１１で示すような様々な鋸歯状パターンなど光学微細構造を含むことができる。層１１００は通常、ＵＶ硬化ポリマ樹脂から形成されるが、方向に依存して光の向きを変える、光学構造の形成を可能にする、任意の材料からも形成されることができる。例えば、層１１００は、シリコーン材、成形プラスチック、又は、薄いガラスから形成されることができる。
【００２４】
層１１００上の光学構造の形状は、例えば３Ｍ  Ｃｏｍｐａｎｙ製（Ｓｔ．Ｐａｕｌ、Ｍｉｎｎｅｓｏｔａ）３Ｍ  Ｉｍａｇｅ  Ｄｉｒｅｃｔｉｎｇ  Ｆｉｌｍ−２（ＩＤＦ  ２）などの鋸歯状パターンでもよく、及び、真空蒸着又はスパッタリングを介して、反射材料を表面に選択的に付着させることによるなど、透過からブロックされる各小面の１つの面を備える、直角プリズムでもよい。入射角分化層１１００は、おおよそ垂直方向に所定の方向設定されている光を優先してその方向を変えるが、その一方で、他方向からの光は垂直方向へ向きを変えない、他の任意の光学フィルムを含むことができる。
【００２５】
コリメーティング層１１０５によってのみ、おおよそ垂直方向の光は通過できる。いくつかの実施形態において、コリメーティング層１１０５は任意である。コリメーティング層１１０５は、１次元又は２次元の視準を提供できる。例えば、３Ｍ  Ｃｏｍｐａｎｙ（Ｓｔ．Ｐａｕｌ、Ｍｉｎｎｅｓｏｔａ）製などのマイクロルーバプライバシーフィルムによって、１次元の視準は得られる。３Ｍ  Ｃｏｍｐａｎｙ製Ｖｉｋｕｉｔｉ  ＲＰＦ背面投影スクリーン材料などの、吸収マトリックスに埋められたビーズ材料を用いて、２次元の視準は得られる。例えば、ＦＯＶ  １１２０ａと関連する光１１３１は、入射角分化層小面１１００ｃを通って進み、それは、光を下方に変えてコリメーティング層１１０５に関連するガラスビーズに入れる。ガラスビーズに入る光がほぼ垂直であったので、それは光１１３１がセンサ層１１１０に通過するのを許容する。それに対し、ＦＯＶと関連しない光１１３２は小面に入ることができて、次に下方へ方向転換されてガラスビーズに入る。光１１３２がおおよその法線ベクトルでビーズに入れなかったので、それは光吸収材料１１３３に方向を変えられて、センサ層１１１０を通過しない。２次元の視準は更に、互いに直交して配向される一対のマイクロルーバプライバシーフィルム層によって提供され得る。より狭いコリーメション角度を提供することは、ある距離で対象体を判断するためのより大きな光学忠実度を許容するが、総光処理量、したがって電気信号強度が損なわれる可能性がある。
【００２６】
図１１の示す実施形態において、上記のとおり、センサ層１１１０は、３つの別個の感知画素を含む。これらの感知画素は、マイクロプロセッサ又は他の装置と電気的に接続しており、他の装置は、電圧の変化、所与のＦＯＶと関連する光の量の変化の結果を感知する。例えば、個人１１０１がＦＯＶ  １１２０ｂの中に入ると、感知画素１１１０ｂと関連する光の量は減少し、逆に個人１１０１がＦＯＶ  １１２０ｂと関係する領域を出るとき、光の量は増加する。個人１１０１が、各ＦＯＶを通って歩くことによって環境照明を遮断していると、当然これは仮定する−例えば暗い環境など他の実施形態では、光はヒト、車などを照らすことができて、所与のＦＯＶと関連する光は増加する。どちらにしても、ＦＯＶと関連する光の可変性が生じて、この可変性は測定可能であり、目的の対象体の存在（又はその欠如）に関係し得る。光電池が感知画素である場合、開回路電圧は、入射光線によって対数的に変化する。このような電圧変化が、光電池からの発電で通常使用される光量（２００ワット／ｍ２以上）では小さく、一方で、屋内の照明（通常１〜２ワット／ｍ２）と関連する比較的低い光量で、電圧変化はより大きい。微分回路を備える開回路電圧の変化を感知することによって、小さい入射光線変化が直ちに感知されて、２．５メートル以上の感知距離をもたらすことができる。
【００２７】
基材１１１５は、他の層が取り付けられる基材である。いくつかの実施形態において、基材１１１５は任意でもよい。例えば基材１１１５は、ＰＥＴ又はＦＲ４を含むことができる。
【００２８】
感知画素上に覆い重なる連続光学微細構造を使用する、１つの設計配置が、図１３ａ及び図１３ｂに示される。図１３ａは前記実施形態の引き伸ばし図を示し、光学素子は放射フレネル光学素子１３０７を含み、それは、図示した実施例において、６つのセンサ画素１３０５ａ〜ｆ（他の数も可能）に異なる許容角度を提供する。この場合、光学素子１３０７は、角度選択層として機能するが、この場合、それは複数の異なった領域よりもむしろ連続光学要素である。図１１で示した実施形態のように、コリメーティング層１１０５は、光学素子１３０７とセンサ画素１３０５の間に配置されて、測定忠実度を改善できる（図１３ａ又はｂに示されない）。センサ画素は基材１３０１上に取り付けられて、電極１３０３が、個々のセンサ画素をプロセッサ（図示せず）などの測定装置に通信的に連結する。図１３ｂに示すように、この構成は各センサ画素と関連する異なるＦＯＶを可能にして、図１３ｂは図１３ａに示される装置の平面図である。この構成において、ＦＯＶは装置を取り囲み、それは装置によって収集されて、それによって事象の種類を区別する感知精度及び能力を増加させる、データの大きな多様性を提供できる。例えば、図１３で示す構成について、各ＦＯＶセンサ画素と関連する有効なＦＯＶは、位置及び速度を感知する水平分化によって通りがかるヒトなどを感知して、垂直分化によって児童を成人と区別して、外部事象を感知できる。当然ながらＦＯＶセンサ画素により感知されることを目的とする事象の種類に応じて、センサ画素自体は、感知対象体の特定の必要性を満たす異なるＦＯＶを作成するレンズと関連して、大きさ及び位置の両方で手直しされることができる。光学素子は更に、光コリメーティング層を含むことができる。他のレンズの種類も可能であり、例えばいくつかの実施形態では、放射フレネルレンズより軸フレネルレンズが、有利には使用され得る。光学微細構造は、鋸歯状パターンに、又は光の角度分化を許容できる他の任意の形状に形成できる。
【００２９】
角度選択及び視準（層１１００及び１１０５）を提供する代わりの方法は、空間透過マスクと位置を合わせて配置される、小型レンズアレイなど空間的感受性角度選択層を提供することである。このような構造１２００を、図１２に示す。空間的感受性角度選択層１２０１は、多くの小型レンズ１２０３を含み、その輪郭をレンズ１２０６に示す。マイクロレンズフィルムは周知であり、市販されている。例えば、ＳＶＧ  Ｏｐｔｒｏｎｉｃｓ（Ｓｕｚｈｏｕ、Ｃｈｉｎａ）製など、プラスチック基材のマイクロレンズフィルムが、いくつかの実施形態で利用できる。フィルムのマイクロレンズは通常、各小型レンズからの入射光線が小さな物理領域に限定される、固有の焦点面を有する。マイクロレンズはあるいは、物理的構造よりもフィルム内の屈折率における変化によって形成され得る。マスク１２０２は、光吸収フィルムに多数の開孔１２０４を有する。マスク１２０２の各開孔１２０４は、１２０３などのマイクロレンズ要素と関係している。マスクは、ＰＥＴ基材上、マイクロレンズフィルムの平坦な面の、他の基材上に形成されることができる、又は自己支持型でもよい。マスクの非透過性領域は、光を吸収、反射、又は散乱させることができ、熱転写プロセス若しくは他の方法により印刷される又は形成できる。マスク層１２０１の非透過性要素は、印刷画像又はテキスト要素を含むことができ、例えば、図画４０の形体と一致できる又は配合することができる。層１２０１及び１２０２は入射角選択層として一緒に機能して、マスク１２０２の開孔がフィルム１２０１の小型レンズと共に及び焦点面近くの中央に正確に配置される場合、前記層は主として、入射光線を垂直に通過させる。マスクの開孔がその付随する小型レンズと関連して中心から外れている場合、それは、特定の非垂直入射角からの光の通過を許容する。異なるセンサ画素領域の開孔がそれらの小型レンズ中心と関連して異なる空間置換を有するように、マスクレイアウトを変化させることにより、入射光線を角度で選択する空間的に多様なフィルムを可能にすることができる。同様に、開孔のサイズを変化させることにより、ＦＯＶの立体角領域は調整されて、特定のセンサ画素のための設計パラメータに適合することができる。マスクは、ほぼ焦点面で小型レンズアレイフィルムの１つの表面に積層された基材に、印刷される若しくは付着することができて、又は、ほぼ焦点面で直接小型レンズアレイフィルムの平坦面上に、印刷される若しくは付着できる。層１２０１又は１２０２の相対位置は逆になることができ、その結果、開孔が小型レンズアレイの焦点面にほぼ位置する限り、レンズフィルム１２０２は場面方向に向いており、マスク層１２０１はセンサ画素と隣接している。
【００３０】
図１１、図１２及び図１３に関して記載されている実施形態は、図９に関して記載されている実施形態に組み込まれることができる。図９において、２つの感知画素９０３ａ及び９０３ｂが示される。これらの感知画素は、図１１の感知画素１１１０ａ〜ｃに対応する。光学層（任意にコリメーティング層（図示せず）を含む、図１１の１１０５及び１１００、図１２の１１０３及び１２０２、図１３ａのコノスコープレンズ１３０７）は、この感知画素上に配置されて、それらがＦＯＶ感知画素を作成する。
【００３１】
上述の実施形態による製造されたセンサは、いくつかの実施形態では、ＦＯＶに入る若しくは出る、ヒト又は（特定のサイズの）物を確実に感知する。そのうえ、ＦＯＶを横断する対象体の速度を感知することができる。例えば、２つ又は３つのＦＯＶセンサ画素を理想的に有する感知装置を通り過ぎて走る個人は、ゆっくりと歩きながら通り過ぎる個人と区別されることができる。そのうえ２人の個人は、サイズに関する特定の仮定を使用して、互いから区別されることができる。このデータは、通り過ぎる特定のサイズの対象体の数を計数するために用いることができる、又は、作用カードと関連するトリガ事象に用いることが可能である。例えばヒトがジョギングしている場合、それを目的とするＦＯＶセンサ画素を有するセンサカードの１つによって、関連する、例えばヒトがすぐに遭遇する歩道下の更なる電子的アドレス可能な標識、又は他の電子装置（例えば、ＬＣＤ又はプラズマディスプレイなど）に、信号が送られることができる。そして、電子的アドレス可能な標識は、作用カードから誘発されて、計時される印又はジョギングしているヒトに合わせて調整されたコンテンツを有することができる。別の実施形態では、（いわゆる一体型カード）センサカード自体は、内蔵プロセッサを介して作用を誘発して、作用カードは必要ない。一体型の実施形態が、図１１に示される。一体型カード２９０は、図４に関する上述の構成要素を備えているが、更に、プロセッサ２３０と通信的に連結する動作要素２２１を含む。上述のとおり、一体型構成において、センサは一実施形態において、上述のとおり光起電センサでもよい。前記構成において、一体型カードは電力効率がとてもよく、事象がセンサ２２０により感知されるまで、減少するプロセッサ電力を使用する低出力感知モードを維持することができる。このような実施形態において、センサカードは、標識上、標識内若しくは標識の近くの電子系印（ＬＥＤ照明、ＬＣＤスクリーン、標識を動画にするアクチュエータなど）と共に、標識内、標識の後ろ又は標識の近くに埋め込まれることができる。センサカードのＦＯＶセンサ画素が標識の前で移動する個人と関連する信号を感知するとき、センサカード上のプロセッサから発生する信号を介して、印が起動される。一体型作用カードは、感知事象に基づき、電子装置（ＬＥＤ、電子ディスプレイ、機械的に作動されたウィジェット、リレーなど）を駆動でき及び動かすことができる、又は、事象を示す受信信号に基づき、動作又は動作の連続を開始する別の電子装置に、事象を示す信号を単に提供することができる。更なる電子装置は、信号を送られた事象を表す情報を処理して、次に更なる指示を実行する、それ自身のプロセッサを有することができる。
【００３２】
ＦＯＶを通って移動する人型対象体に加えて、記載される実施形態により感知されることができる、他の目的の事象は、ドエル事象であり、そこで人型対象体はセンサに接近して停止している。これは、ＦＯＶセンサ画素の１つ（又は複数）と関連した特定の図の電圧降下（又は、周囲照明条件に応じて電圧上昇）を引き起こす。理想的にはプロセッサは、各ＦＯＶセンサ画素と関連した電子信号をモニタするアルゴリズムを実施しており、そこから特定のＦＯＶ内で起きる可能性がある事象を判断する。各センサ画素は、一実施形態において、背景と関連して光の変化を示す読み取り可能な電圧を印加する。
【００３３】
トリガ事象に加えて、いくつかの実施形態では、無線データ通信を介して交通パターンを分析できるサーバに送られる交通関連データを、センサ画素は感知できる。送られるデータは、アルゴリズム的に「解釈され」て、目的の事象に変換することができ、又は、未処理のデータが送られて、その後分析されることができる。
【００３４】
本発明のいくつかの実施形態は、センサ画素が重要な事象を感知するとき、直接カードに取り付けられて、データをとるために起動できる（フレーム又は連続フレーム）、Ｏｍｎｉｖｉｓｉｏｎ製ＣａｍｅｒａＣｕｂｅモジュールなどの小型低コストカメラも含むことができる。次にこの画像データは、分析されて、保存されて、及び／又は、外へ伝達されることができる。この方法は、極めて低電力の通常操作モードを可能にすることができるが、その一方で、それが要求される場合、より大きく、より有益なデータの可能性を許容する。
【００３５】
バッテリ２００は、薄い可撓性バッテリを含む。バッテリ２００は、対話式カードの寿命に十分な電力を有する非再充電バッテリでもよい。別の実施形態では、バッテリ２００は交換可能であり、好ましくは少なくとも１週間以上持続する。バッテリ２００は、再充電可能でもよい。バッテリ２００は、バナーの後又はその前に配置される場合、好ましくは、バナー広告の最低限の歪みを許容する、薄い電池である。一実施形態において、好適なバッテリは、Ｇａｌｖａｎｉ製３．７ボルト、３０００ｍＡｈ  ＪＡ−０５４５１３５Ｐを含み、それは、クレジットカード型の薄いバッテリである。
【００３６】
アンテナ２４２は、基材２４４上に、又はそれから離れて配置されることができる。基材２４４から離れて伸びるものが、図２に示される。他の種類の通信モジュールが無線通信２１０の代わりに用いられる場合、アンテナは必要とされない。その代わりに、例えば一実施形態において、通信モジュールは、無線通信の代わりに赤外線通信モジュールを含む。別の実施形態では、通信モジュールは駆動回路を含んで、ワイヤ、印刷導電体などの導電性経路を介して、１つ以上の追加モジュールを備える電気通信を提供する。
【００３７】
図３は、応答カード２４０Ｒの概略図を示す。含まれる構成要素は、図２のセンサカード２４０に関して示されるものと類似しているが、ただしセンサの代わりに、応答カードが動作要素２２１を含むことは除く。無線通信２１０Ｒは、無線通信２１０から通信を受信する。プロセッサ２３０Ｒは通信を分析して、次に動作要素２２１と関連する動作を開始できる。例えば、動作要素２２１が、図１と関連する実施例に示されるようにＬＥＤ照明アレイを含む場合、次にプロセッサはＬＥＤを起動させることができ、それは従来の照明でもよく、又は、他の目的（通信など−すなわち、ＬＥＤが、遠隔装置通信を容易にするための、ＩＲ、ＵＶ、光学パルスなどであり得る）のために使うことができる。
【００３８】
動作要素２２１は、応答カード２４０Ｒの物理的一部として示されるが、他の実施形態では、図１と関連した実施形態で示されるように、他の場所に位置するが、導伝体を介してプロセッサ２３０Ｒにつながれている。
【００３９】
動作要素２２１は、ＬＥＤ照明、圧電モータ、スピーカ、電気活性ポリマ、化学放射装置（すなわち、匂い放射源）、相変化材料、又はプロセッサ２２０Ｒを介して起動できる任意の装置を含むことができる。
【００４０】
図４ａは、対話式カード（センサカード又は受信カードのどちらか）の例示の外部ハウジングの概略図を示す。ハウジングは、薄い、可撓性プラスチックフィルムでもよい。厚み（Ｚ軸）は、一実施形態において、厚さ５ｍｍ未満、好ましくは厚さ２ｍｍ未満である。１５２ｍｍ未満の半径、好ましくは約５０ｍｍ未満の半径に変形できる程度に十分に可撓性である。一実施形態において、Ｙ−寸法及びＸ−寸法は、基板上に５０×５０ｍｍバッテリを備える６０×９０ｍｍ、又は基板上に２８×２８ｍｍバッテリを備える３０×６７ｍｍを含む。オン／オフスイッチ４３０は、対話式カードのオン又はオフを切り替える。それは対話式カード内に含まれる電源回路を実際に切るハードスイッチでもよく、又は、スリープモードに入るよう対話式カードに命じるソフトスイッチでもよい。Ｉ／Ｏ領域４２０は、センサ構成要素（センサカードの場合）又は動作要素（応答カードの場合）のどちらかを収容する。特にセンサ又は動作モジュールが対話式カードにつながれる場合、当然ながら他の実施形態がここで可能である。対話式カード４００上の影４１５は、カード表面上の接着剤の存在を示す。接着剤を使用することは、対話式カードを表面に取り付ける、１つの可能な方法である。好適な接着剤は、３ＭのＶＨＢ接着剤などの感圧性接着剤、ホットメルト接着剤、及び他の市販の接着剤系を含む。除去可能及び再配置可能な感圧性接着剤の使用により、取り付けの単純さが許容される。
【００４１】
図４ｂは、対話式カード４００の側面図の一実施形態を示す。本実施形態のカードの厚みは、任意の縁部までの距離に対して、下方へ細くなって示される。この先細りは、いくつかの実施形態では、カードが印刷された図形又は他の媒体の後に配置されるとき、人の視界からカードの存在を覆い隠すことを支援できる。
【００４２】
図５は、印刷された図形標識５００の例示的実施形態を示す。印刷された図形標識５００は、任意の種類の印刷された図形標識でもよい。図形要素５１０は、印刷された図形標識の領域全体に伸びて示される。センサカード４００は、印刷された図形標識５００の表面に付着する。有孔フィルム部分５２０は、印刷された図形標識の下にある領域に適合するために印刷されて、それから図形要素と適合する印刷された図形標識の下位領域に付着された。有孔フィルム部分５２０はセンサカード４００をこのようにカプセル化して、穿孔を通して環境変化を感知するが、非常に目立たないことを可能にする。カプセル化することにより、センサ４００の表面が覆われることを意味し、フィルム片５２０が各寸法でセンサ５２０に重なり合うことは、厳密には必要でない（しかし、このような重なりは望ましく、本開示の範囲内である）。
【００４３】
有孔フィルム部分５２０として使用するのに適切な、１つの有孔フィルムは、３Ｍ  Ｃｏｍｐａｎｙ（Ｓｔ．Ｐａｕｌ、Ｍｉｎｎｅｓｏｔａ）製、商品名「Ｐｅｒｆｏｒａｔｅｄ  Ｗｉｎｄｏｗ  Ｇｒａｐｈｉｃ  Ｆｉｌｍ」である。一実施形態の有孔フィルム部分は、分離片でない−代わりに必要に応じて、例えばＳｕｍｍａカッタで切られた図形標識の領域であり、その場合には、有孔フィルム部分５２０が印刷された図形５００の必須部分である。
【００４４】
物理的に有孔フィルムの代わりに、視覚的に不透明だが、光学的、音響的、又は熱的に透明なフィルム片５２０、又は標識５００の一部は、センサ２２０と共に使用されることができ、該センサ２２０は、ＩＲ、ＵＶなどの波長、音声信号及び／又は熱的対象体、例えばヒトの存在を感知する。
【００４５】
一旦作成されると、センサカード５２０は、図形標識５００の表面に、従来の感圧性接着フィルム及び積層ハンドローラ塗り技術を使用して、接着できる。感圧性接着剤は、図形への取り付け前に、製造工程の一部としてセンサカードに塗布されることができる。接着剤は、恒久的接着剤でもよく、又は除去性を容易にしてもよい。図形要素５２０は、図形標識５００の下にある下方領域に厳密に適合するように、図形標識５００上に配置される。他の適用方法を用いることもでき、それは、印刷された有孔フィルムの接着裏片から始めて、最初に有孔フィルム部分の裏側（接着剤を含む）にセンサカードを接着して、センサカードの縁部を超えて延びる（重なり合う）フィルム部分を接着させることを含む。フィルム／センサの組み合わせが、センサ及びフィルム片を図形標識５００に保持している重なり合う接着剤縁部と共に、図形標識５００に適用される。
【００４６】
周知の技術を用いて、上述の構成要素をフレキシブル回路基板上に組み込むことによって、対話式カードを製造できる。図形標識に隣接する領域内にセンサカードを接着する若しくは固定することによって、又は、センサカードに隣接する領域の（及び、無線通信範囲内の）応答カードに接着する若しくは固定することによって、対話式カードを取り付けることができる。対話式カードは次にスイッチを「オン」に入れられて、後述のように対にされることができる。それらは、いくつかの実施形態では、更なる技術的構成又は分析を必要とせずに、動作の準備ができている。
【００４７】
図６は、有孔フィルム部分５２０の更なる図を示す。有孔フィルム部分は、１〜４０ミルの厚さのフィルム、好ましくは厚さ５ミル未満、より好ましくは厚さ２ミル以下をベースにしてよい。有孔フィルムは、従来の方法、例えば水性インクジェット印刷、エコ溶媒インクジェット印刷、溶媒インクジェット印刷、ＵＶインクジェット印刷、スクリーン印刷、オフセット印刷、昇華法などを使用して印刷することができる。
【００４８】
図７は、図形フィルム７０１、センサ７１０及び有孔フィルム部分７２０を含む、スタックの断面図である。有孔フィルム部分７２０が下にあるセンサ／図形フィルム基材のトポグラフィを仮定する程度は、取り付けパラメータの機能である。よりゆるい適用プロセスが領域７３０をもたらす可能性があり、それは充填された接着剤、又は単にエアギャップであり得る。より堅い適合が領域７４０に示されており、アプリケータは特別な処置をして、センサカードと図画フィルム表面の２つの面に、有孔フィルム部分７２０を結合する。穿孔又は関連した特徴は変更されて、例えば、下にある材料により適合する又はより滑らかな表面を形成する鋭い角を有する領域で、多少高密度になる。
【００４９】
一実施形態において、センサとして効果的に機能できるように、センサカードが配置され得る、下にある図形の下方領域を最初に測定することにより、有孔フィルムが適用される。例えば、かなりの距離に垂直に延びる大きな標識で、歩行者の交通への最短距離にセンサカードの位置を決めることは、有利であり得る（センサが感知する目的が歩行者である場合）。次に、下にある図形の下方領域を、選択できる。それから、有孔フィルムが、下方領域に適合するために印刷される。あるいは印刷された図形が、予め印刷されて存在して、次に手で調整されて、はさみを用いることにより特定のサイズに調整される。また更に、下にある図形の下方領域に適合するフィルム部分（非穿孔された）を有することができ、それは更なる工程として穿孔されることができる。
【００５０】
一旦有孔フィルム部分の準備ができると、それはセンサカードの第１主表面に重なり合わない方法で直接使用されることができる。そしてセンサカードの反対側の第２主表面が、下にある図形に接着されて、下にある図形の下方領域に適合して、視覚的注目を減らすように配置される。あるいは有孔フィルム部分はセンサカードに重なり合うことができ、接着剤が裏貼りされている場合、このような場合、有孔フィルムが使用されて、センサカードを包囲して、有孔フィルム部分の縁部を下にある図形に付着させることができる。好ましくは、センサは、動作の感知を可能にするように、有孔フィルム部分に対して配置される。
【００５１】
穿孔はサイズ及び密度が変化して、感知機能に適応できる。
【００５２】
カード間の無線通信：対合
一実施形態において、１つのセンサカードは、１つの応答カードに対にされる。ＡＮＴ無線通信プロトコルを用いて、ＡＮＴの対合メカニズムが、以下のとおり用いられる。ＡＮＴマスタであるセンサカードは、局所取り付けで用いられるセンサカードに固有の１６ビット装置番号を有する。カードが製造されるとき、この１６ビット番号は個別にプログラムされることができる、又は、Ｎｏｒｄｉｃ  Ｓｅｍｉｃｏｎｄｕｃｔｏｒ  ｎＲＦ５１４２２の場合、ＡＲＭプロセッサの固有装置ＩＤの１６最下位ビットが使用され得る。センサカードが現時点で作用カードと対合されていないとき、ＡＮＴ  Ｄｅｖｉｃｅ  Ｔｙｐｅに対合ビットを設定する。この情報は、センサカードの無線通信メッセージの一部として送信される。応答カードが現時点でセンサカードと対合していないとき、センサカードが対合ビット設定を有しない場合、無線通信メッセージを受信した任意のセンサカードと応答カードは対合する。対合した後、それはセンサカードに応答メッセージを送って、センサカードが対合したことを示す。それからセンサカードは、その対合ビットをクリアする。出力サイクル又はバッテリ交換を通してカードがその組み合わせ状態を保つように、対合状態（対合する又は対合していない）が不揮発性メモリに保存される。対合センサボードがクリアされた対合ビットを有しているので、新規作用カードがすでに対合したセンサカードと偶然対合する可能性は、排除される。またＡＮＴプロトコルは対合プロセスの一部として無線通信信号強度を使用できるので、作用カードは最も強い無線信号を有するセンサカードと対合する。対合された２つのカードをごく近接して（例えば、テーブル上に並んで）配置することによって、すでに取り付けられたセンサカード、又は近くで作動しているがまだ対合していない別のセンサカードと、作用カードが偶然対合する可能性を減らす。
【００５３】
別の実施形態では、ＡＮＴ共有チャネル特徴を用いて、１つのセンサカードは、最高２５５つ又は最高６５５３５つの応答カードと対合されることができる。
【００５４】
別の実施形態では、最高８つのチャネルをサポートする、Ｎｏｒｄｉｃ  Ｓｅｍｉｃｏｎｄｕｃｔｏｒ  ｎＲＦ５１４２２など、複数のチャネルをサポートするＡＮＴ無線通信を用いて、１つの応答カードは、複数のセンサカードと、サポートされるチャネルごとに１つ、対合することができる。
【図１】
2017512323.tif 000003
【図２】
2017512323.tif 000004
【図３】
2017512323.tif 000005
【図４ａ】
2017512323.tif 000006
【図４ｂ】
2017512323.tif 000007
【図５】
2017512323.tif 000008
【図６】
2017512323.tif 000009
【図７】
2017512323.tif 000010
【図８ａ】
2017512323.tif 000011
【図８ｂ】
2017512323.tif 000012
【図９】
2017512323.tif 000013
【図１０】
2017512323.tif 000014
【図１１】
2017512323.tif 000015
【図１２】
2017512323.tif 000016
【図１３Ａ】
2017512323.tif 000017
【図１３Ｂ】
2017512323.tif 000018
【図１４】
2017512323.tif 000019
【国際調査報告】
2017512323.tif 000020
2017512323.tif 000021